(57)【要約】【課題】  仕切面材の端部に沿う支持体本体の外面形状を工夫することにより目地を表出させることができる間仕切り用支持体及び間仕切りを提供すること。【解決手段】  支持体本体１４間に板状の仕切面材１２を挟み込んで間仕切り１０が構成されている。支持体１４は、床面上に起立する柱状の支持体本体１４を含む。この支持体本体１４の前後各面には見込み方向中間にスロット２０が形成されており、当該スロット２０の内部が目地形成用凹部２５として形成され、この凹部が仕切面材１２の端部に表出するようになっている。また、支持体本体１４の側面には溝部３０が形成され、この溝部３０を利用してガラス等からなる仕切面材を支持することも可能となっている。【選択図】          図１
2005232778.tif 000002
【特許請求の範囲】
【請求項１】
仕切面材の端部に沿う支持体本体の前後各面に、目地形成用凹部がそれぞれ設けられていることを特徴とする間仕切り用支持体。
【請求項２】
前記目地形成用凹部は、前記支持体本体の前後各面の見付け方向中間に、当該支持体本体の延出方向に沿うスロット部を形成する一対の外側平面部と、これら外側平面部の見付け方向中間から内方にそれぞれ向けられた一対の段形成面部と、これら段形成面部の内方端部間を相互連結する内側平面部とにより構成されていることを特徴とする請求項１記載の間仕切り用支持体。
【請求項３】
前記外側平面部と前記スロット部を利用してオプションが着脱自在に設けられていることを特徴とする請求項２記載の間仕切り用支持体。
【請求項４】
前記支持体本体の側面には、当該支持体本体の見込み幅内に収まるパネルを支持する溝部が更に形成されていることを特徴とする請求項１，２又は３記載の間仕切り用支持体。
【請求項５】
仕切面材の端部に配置されて当該仕切面材を支持する支持体本体を備えた間仕切りにおいて、
前記支持体本体の前後各面に目地形成用凹部がそれぞれ形成されて当該目地形成用凹部のみが前記仕切面材の外縁側に表出することを特徴とする間仕切り。
【請求項６】
前記仕切面材は、端部にヘミング加工部を有するとともに前記支持体本体を部分的に受容可能な前後一対の金属板と、これら金属板の間に配置された芯材とからなり、前記ヘミング加工部は、前記支持体本体の前後各面の見付け方向中間にスロット部を形成する左右一対の外側平面部に重なるように位置することを特徴とする請求項５記載の間仕切り。
【発明の詳細な説明】
【技術分野】
【０００１】
本発明は間仕切り用支持体及び間仕切りに係り、更に詳しくは、仕切面材の端部に沿う支持体本体の前後各面に凹部を形成して当該凹部を目地として表出させることのできる間仕切り用支持体及び間仕切りに関する。
【背景技術】
【０００２】
従来より、オフィス等における作業空間内を複数に区分するための種々の間仕切りが利用されている。この間仕切りは、一般に、床面から起立する支柱等の複数の間仕切り用支持体と、これら間仕切り用支持体の間に配置されたパネル等からなる仕切面材とにより構成されている。公知の間仕切りとしては、仕切面材の端部相互間に目地が表出するようになっており、当該目地は、仕切面材の側端部分（小口部分）と間仕切り用支持体の一部の面とにより構成されている。
【発明の開示】
【発明が解決しようとする課題】
【０００３】
しかしながら、このような間仕切りは、仕切面材の側端部分と間仕切り用支持体の一部の面とを利用して目地を形成するものであるため、目地自体が画一的になり、当該目地の意匠性を向上させることに限界がある。また、仕切面材の側端部分の厚みが目地の奥行き幅となり、目地の存在感を十分なものとすべく、仕切面材の側端部分の厚みを大きく確保すると、仕切面材自体の板厚も大きくなりすぎてしまい、意匠上の見栄えが悪くなる、という不都合を招来する。更に、従来では、目地を利用して棚板等のオプションを装着する際に、間仕切り用支持体の面に穴を形成し、当該穴を利用してオプションの支持部材を取り付けなければならないため、取り付け位置を変更したり、これを撤去した場合には、穴が外部から見えてしまうことにもなる。また、前記間仕切り用支持体は、その側面を利用してガラスなどのパネル材を支持体内にのみ込んで支持するような共用型とはなっておらず、この場合には、別途専用の支持体を利用しなければならないという不都合がある。
【０００４】
［発明の目的］
本発明は、このような不都合に着目して案出されたものであり、その目的は、仕切面材の端部に沿う支持体本体の外面形状を工夫することにより、外側から目地の内部までは見せないようにしつつも目地の存在を表出させることができる間仕切り用支持体及び間仕切りを提供することにある。
【０００５】
本発明の他の目的は、支持体本体の前後面に部分的に重なる仕切面材の端部厚みを薄くしても、十分な奥行き感若しくは掘り込み感を有する目地を明瞭に表出させることのできる間仕切り用支持体及び間仕切りを提供することにある。
【０００６】
また、本発明の更に他の目的は、支持体本体に穴等を特別に形成することなく目地領域を利用してオプションを取り付けることができる間仕切り用支持体及び間仕切りを提供することにある。
【０００７】
更に本発明の目的は、支持体本体の見込み幅よりも薄いガラス板や樹脂パネル等も支持可能とし、支持体本体が額縁のように作用する機能をも併せ持ち、支持体本体の汎用性を拡大することのできる間仕切り用支持体及び間仕切りを提供することにある。
【課題を解決するための手段】
【０００８】
前記目的を達成するため、本発明は、仕切面材の端部に沿う支持体本体の前後各面に、目地形成用凹部がそれぞれ設けられる、という構成を採っている。
【０００９】
本発明において、前記目地形成用凹部は、前記支持体本体の前後各面の見付け方向中間に、当該支持体本体の延出方向に沿うスロット部を形成する一対の外側平面部と、これら外側平面部の見付け方向中間から内方にそれぞれ向けられた一対の段形成面部と、これら段形成面部の内方端部間を相互連結する内側平面部とにより構成することができる。この際、外側平面部と前記スロット部を利用してオプションを着脱自在に設けるとよい。
【００１０】
また、前記支持体本体の側面には、当該支持体本体の見込み幅内に収まるパネルを支持する溝部が更に形成される、という構成を採っている。
【００１１】
更に、本発明は、仕切面材の端部に配置されて当該仕切面材を支持する支持体本体を備えた間仕切りにおいて、
前記支持体本体の前後各面に目地形成用凹部がそれぞれ形成されて当該目地形成用凹部のみが前記仕切面材の外縁側に表出する、という構成を採っている。この際、目地形成用凹部によって凹部の奥、すなわち、溝の底部を見せないようにしつつ、仕切面材の外縁側に明瞭に表出するように設けることが好ましい。
【００１２】
前記間仕切りにおいて、前記仕切面材は、端部にヘミング加工部を有するとともに前記支持体本体を部分的に受容可能な前後一対の金属板と、これら金属板の間に配置された芯材とからなり、前記ヘミング加工部は、前記支持体本体の前後各面の見付け方向中間にスロット部を形成する左右一対の外側平面部に重なるように位置する、という構成を採ることができる。
【発明の効果】
【００１３】
本発明によれば、支持体本体に目地形成用凹部を設けた構成により、仕切面材の端部形状若しくは厚みに依存することなく目地を表出させることができる。つまり、支持体本体の前後各面の凹部掘り込み深さや幅によって各種の目地形成が可能となる。
【００１４】
また、スロット部を形成する外側平面部、段形成面部及び内側平面部により目地形成用凹部を形成することにより、スロット部の内部に拡がった空間が形成される目地構造となり、従来にない掘り込み深さを表出させることができる。また、外側平面部を利用してオプションが着脱自在に設けられていることで、凹部内にオプション取り付け用の穴等を形成する必要性を排除でき、従って、オプションの取り付け位置を変更した際に、穴が外側から見えてしまうという不都合を解消することができる。なお、外側平面部の利用形態としては、外側平面部の裏面側に座金等を配し、当該座金と外側平面部とを内外両面から挟み付けるようなオプション保持部材を介在させ、当該保持部材にオプションを保持させることが例示できる。
【００１５】
また、前記支持体本体の側面にパネルを支持する溝部を設けた構成では、当該支持体本体を窓枠等の額縁と同様に利用できるようになり、支持体本体の利用形態が多様化されて汎用性を付与することができる。
【００１６】
更に、本発明によれば、支持体本体が目地を形成することになる結果、従来のように仕切面材の端部厚みにより目地深さを確保する構造が不要となり、仕切面材の表面を形成する板材が薄い金属板であっても、目地を表出させることが可能となる。
【発明を実施するための最良の形態】
【００１７】
以下、本発明に係る間仕切り用支持体及び間仕切りの一実施形態を図面を参照しながら説明する。なお、本明細書において、「前」とは、間仕切りを正面に見たときに、当該間仕切りの見える側について用いられる一方、「後」とは、その奥行き側である反対側について用いられる。
【００１８】
［第１実施形態］
図１には第１の実施形態に係る間仕切りの要部概略斜視図が示されている。この図において、間仕切り１０は、相互に所定間隔を隔てて床面上に起立姿勢で配置される支柱状をなす複数の支持体１１と、これら支持体１１間に配置される仕切面材１２とを備えて構成されている。
【００１９】
前記支持体１１は、図２ないし図４にも示されるように、支持体本体１４により構成され、当該支持体本体１４には必要に応じてカバー１５が取り付けられる。支持体本体１４は、主に、アルミニウム等を素材として成形されたものであり、その横断面形状は、前後及び左右対称形状となる輪郭に設けられている。これを更に詳述すると、支持体本体１４は、前面側及後面側にそれぞれ位置する前後対称の正面部１６，１６と、これら正面部１６，１６の各外縁間を相互に連結する左右対称の側面部１８，１８とにより構成されている。
【００２０】
前記正面部１６，１６は、見付け方向中間で上下方向（図４中紙面直交方向）にそれぞれスロット部２０，２０を形成する左右一対の外側平面部２１，２１と、これら外側平面部２１，２１の見付け方向中間内面側から内方に向けられるとともに、内方端側が相互に接近するように傾斜する左右一対の段形成面部２３，２３と、これら段形成面部２３，２３の内方端部間を相互に連結するとともに、前記外側平面部２１と略平行姿勢となる内側平面部２４とからなる。ここにおいて、前記スロット部２０を形成する外側平面部２１，２１、段形成面部２３，２３及び内側平面部２４により目地形成用凹部２５が形成されている。
【００２１】
前記側面部１８，１８は、前後の外側平面部２１，２１の各外縁に連なって前後（見込み）方向に向けられたクランク状部２７，２７と、当該クランク状部２７，２７の各先端に突起部２７Ａ，２７Ａを形成する状態でクランク状部２７，２７間に位置するコ字状部２９とにより構成されている。ここにおいて、前記クランク状部２７及びコ字状部２９とにより、後述するガラス等の仕切面材を支持するための溝部３０が形成されている。
【００２２】
なお、本実施形態における支持体本体１４は、特に限定されるものではないが、前記正面部１６の見付け幅（左右幅）が３０ｍｍ前後である一方、側面部１８の見込み幅（前後幅）が４０ｍｍ前後とされ、また、間仕切り１０を組み立てた後におけるスロット部２０の正面側左右幅（開放幅）が約６ｍｍ程度に設けられている。
【００２３】
前記カバー１５は、主に、アルミニウム等を素材として成形されている。このカバー１５は、左右方向に沿う片側の側面部１８領域に仕切面材１２が配置されない場合、すなわち、支持体本体１４が間仕切り１０の最も外側に位置する場合に、前記片側の側面部１８と、前後に位置する各外側平面部２１，２１をカバーするものである。このカバー１５は、側面部１８に沿う平面形状を備えた側面カバー部３２と、当該側面カバー部３２の前後両端から略９０度屈曲する方向に延びるとともに、中間にストッパ３３Ａを備えた前後一対の外側平面カバー部３３，３３とにより構成されている。外側平面カバー部３３，３３の各先端は、前記外側平面部２１，２１のスロット部形成縁に引っ掛かり可能な爪形状に設けられ、ストッパ３３Ａが前記クランク状部２７の外面に突き当たった位置で、カバー１５が「カチッ」と嵌め込まれるようなっている。
【００２４】
前記仕切面材１２は、前後一対の金属板３５，３５と、これら金属板３５間に配置された芯材３６とにより構成されている。金属板３５は、左右方向の両端部が二枚厚となるように内側に折り返されたヘミング加工部３５Ａを備えているとともに、当該折り返された金属板の先端部が略９０度内方に向けられた屈曲部３７を備えて構成されている。また、芯材３６は、本実施形態では、略六角形の断面形状を備えた筒状体の集合物により構成されている。この芯材３６は、特に限定されるものではなく、金属板の内面側に適宜な補強桟を配置したり、また、グラスウール、ロックウール等の吸音材等に代替してもよい。
【００２５】
間仕切り１０を組み立てる場合には、初めに、一本の支持体本体１４を床面に起立させておく。そして、この支持体本体１４の幅方向片側の側面部１８に向かって仕切面材１２の幅方向一端側を差し込む。この差し込みにより、支持体本体１４の一部が仕切面材１２における前後一対のヘミング加工部３５Ａ，３５Ａ間に受容され、前記屈曲部３７にクランク状部２７の最も外側に位置する面部分が突き当たることで、支持体本体１４と仕切面材１２との相互位置決めを行うことができる。この後、仕切面材１２の幅方向における反対側に、支持体本体１４を配置し、同様の差し込みを行うことにより、左右一対の支持体本体１４間に仕切面材１２が挟み込まれることとなる。更に、仕切面材１２を追加するときは、以後同様の作業を行えばよい。そして、左右方向において最も外側に位置する支持体本体１４の一方の側面部１８にカバー１５を嵌め込んで装着することにより間仕切り１０の組み立てを完成させることができる。このような組み立てを行った状態において、支持体本体１４の目地形成用凹部２５が仕切面材１２間に表出することとなる。なお、左右方向の最も外側に位置する支持体においては、カバー１５の外側平面カバー部３３と仕切面材１２との間に目地形成用凹部２５が表出する。
【００２６】
前記目地形成用凹部２５には、図示しないオプション、例えば、棚板等を装着することができる。この場合のオプション取り付けは、スロット部２０を形成する外側平面部２１，２１の裏面側に座金等を配置しておき、当該座金と外側平面部２１とを内外両面から挟み込んでこれを締め付けできる適宜な保持部材を用意しておき、この保持部材を介して棚板等を保持することができる。これによれば、保持部材を任意の高さ位置で着脱できるため、高さ方向におけるオプション取り付けも制約なく行うことが可能となる。なお、オプション取り付けに際し、目地形成用凹部２５の底部を形成する内側平面部２４に穴加工等を一切行う必要はない。
【００２７】
［第２実施形態］
次に、本発明の第２の実施形態について、図５ないし図７を参照しながら説明する。この第２の実施形態は、前記支持体本体１４の側面部１８に形成した溝部３０と、別部品となる第１ないし第３の補助具４０，４１，４２を利用し、支持体本体１４の見込み幅よりも小さい厚みとなるガラス若しくは樹脂等からなる仕切面材としてのパネルＰを支持したところに特徴を有する。
【００２８】
第１の補助具４０は、前後に対称形状を備えた二つの部材を一組として構成されている。これら第１の補助具４０は、図７に示されるように、前述したカバー１５を見込み方向（前後方向）で分割した形状にそれぞれ類似した部材により構成されている。すなわち、支持体本体１４の外側平面部２１に沿う片状の正面部５０と、この正面部５０に連なって前記クランク状部２４側に延びる片状の側面部５１と、この側面部５１の内面側から内方に向かって延びる屈曲片部５２とにより構成されている。この第１の補助具４０は、正面部５０及び側面部５１のコーナーを支持体本体１４のコーナーに合わせて配置したときに、正面部５０の先端部と屈曲片部５２の先端部が外側平面部２１のスロット形成縁と、前記溝部３０内の突起２７Ａにそれぞれ嵌合して取り付け位置を保つようになっている。
【００２９】
前記第２の補助具４１及び第３の補助具４２は、それらが組み合わされた状態でパネルＰの外周部を前後より挟み込みできる構成となっている。第２の補助具４１は、図７に示されるように、パネルＰの面に略直交して当該パネルＰの外周面に接する本体片６０と、この本体片６０の幅方向（前後方向）一端より若干内側位置から溝部３０側に直線状に延びて後部側に位置する側面部５１の端縁に嵌り込む第１の脚部６１と、本体片６０の中間部から溝部３０側に位置するとともに、先端が前部側に位置する側面部５１の端縁に嵌り込む略Ｓ字状の第２の脚部６２と、第１の脚部６１側において本体片６０の一端に連なってパネルＰ側に延びる後部円弧状片部６４とにより構成されている。また、第３の補助具４２は、前部側に位置する第１の補助具４０における側面部５１とパネルＰの前面との間に延びて当該パネルＰを挟み込む前部円弧状片６７と、この前部円弧状片６７の内面から当該円弧の内側に延びて前記Ｓ字状部に嵌め込み可能な連結片部６８とにより構成されている。
【００３０】
なお、前述した後部及び前部の各円弧状片部６４，６７は、それらの先端離間幅がパネルＰの厚みよりも小さくなる状態に設定されており、これにより、パネルＰの外周領域を前後から挟み付ける力を発揮するように設けられている。
【００３１】
このような第２の実施形態によれば、第１の実施形態で用いた仕切面材１２とは異なるパネルＰを支持面材として支持する場合でも、同一の支持体本体１４を利用して当該支持体本体１４が額縁類似の態様で利用可能となる。
【００３２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、前記実施形態における支持体１１は、上下方向に配置される場合について説明したが、本発明はこれに限定されるものではなく、左右方向に配置されて仕切面材１２又はパネルＰの上下端部に沿う横桟にも適用することができる。
【００３４】
また、仕切面材１２及びパネルＰは、それらの面が閉塞した形状を備えた場合について図示、説明されているが、一部が前後方向に開通若しくは開放する領域を備えたフレーム若しくは板状体であってもよい。
【図面の簡単な説明】
【００３５】
【図１】第１実施形態に係る間仕切りの一部概略斜視図。
【図２】図１の一部拡大図。
【図３】図１の一部を分解した拡大斜視図。
【図４】前記間仕切りの拡大横断面図。
【図５】第２実施形態に係る間仕切りの要部概略斜視図。
【図６】図５の一部分解斜視図。
【図７】図５の拡大横断面図。
【符号の説明】
【００３６】
１０  間仕切り
１１  支持体
１２  仕切面材
１４  支持体本体
２０  スロット部
２１  外側平面部
２３  段形成面部
２４  内側平面部
２５  目地形成用凹部
３０  溝部
３５  金属板
３５Ａ  ヘミング加工部
３６  芯材
【図１】
2005232778.tif 000003
【図２】
2005232778.tif 000004
【図３】
2005232778.tif 000005
【図４】
2005232778.tif 000006
【図５】
2005232778.tif 000007
【図６】
2005232778.tif 000008
【図７】
2005232778.tif 000009